(57)【特許請求の範囲】
【請求項１】
ケース本体と、
前記ケース本体に蓋をする蓋体と、を備え、
基板を収容する基板ケースであって、
前記ケース本体と前記蓋体とを結合させることが可能であるとともに、前記蓋体が前記ケース本体に対し所定の移動をすると、前記結合が解除される結合／解除部材と、
前記基板ケースの内部において、幕状部材を、前記ケース本体及び前記蓋体のうちの一方に保持する保持部材と、
前記ケース本体と前記蓋体とが結合した状態から、前記所定の移動を行ったとき、前記幕状部材を横切るように、前記ケース本体及び前記蓋体のうち、前記一方ではない側に取り付けられた破幕部材と、
を備え、
前記所定の移動は、前記蓋体を前記ケース本体に対し所定の方向にスライドさせる移動であり、
前記保持部材は、前記幕状部材の面が前記所定の方向に直交する向きで前記幕状部材を保持することを特徴とする基板ケース。
【請求項２】
前記幕状部材は、ＩＣタグを備えていることを特徴とする請求項１に記載の基板ケース。
【請求項３】
前記保持部材は、前記破幕部材が横切る領域を切り欠き部とした形状を有することを特徴とする請求項１又は２に記載の基板ケース。
【発明の詳細な説明】
【技術分野】
【０００１】
本発明は、例えば、遊技機の制御基板等を収納する基板ケースに関する。
【背景技術】
【０００２】
パチンコ機は、それをコントロールするためのＲＯＭ等の制御基板を裏側に備えている。この制御基板は、ケース本体と蓋体とから成る基板ケースに収納され、ケース本体と蓋体とは封止される。従来、基板ケースの封止を不正に解除することが困難であり、不正に封止が解除された場合はその発見が容易となる封止構造が種々提案されている。
【０００３】
ところで、制御基板を収容する基板ケースから遊技機本体枠にかけて、剥離すると復元困難な封印シールを貼付し、不正に基板ケースを遊技機本体枠から取り外せば、封印シールによる痕跡が残るようにする技術が開示されている（特許文献１参照）。
【特許文献１】特開２００７−２９６２３９号公報
【発明の開示】
【発明が解決しようとする課題】
【０００４】
特許文献１に開示されているような、復元困難な封印シールを、ケース本体と蓋体とに跨るように貼付し、基板ケースを不正に開けると、その痕跡が残るようにすることが考えられる。しかしながら、基板ケースの外側に封印シールを貼付すると、意図しない接触により、封印シールが破れてしまうことがある。特に、封印シールにＩＣタグを取り付ける場合は、意図しない接触によりＩＣタグが破壊され、ＩＤが読みとれなくなってしまうことがある。
【０００５】
本発明は以上の点に鑑みなされたものであり、基板ケースを不正に開けると痕跡が残るが、意図しない接触等によって封印が解除されてしまうことがない基板ケースを提供することを目的とする。
【課題を解決するための手段】
【０００９】
（１）請求項１の発明は、
ケース本体と、前記ケース本体に蓋をする蓋体と、を備え、基板を収容する基板ケースであって、前記ケース本体と前記蓋体とを結合させることが可能であるとともに、前記蓋体が前記ケース本体に対し所定の移動をすると、前記結合が解除される結合／解除部材と、
前記基板ケースの内部において、幕状部材を、前記ケース本体及び前記蓋体のうちの一方に保持する保持部材と、
前記ケース本体と前記蓋体とが結合した状態から、前記所定の移動を行ったとき、前記幕状部材を横切るように、前記ケース本体及び前記蓋体のうち、前記一方ではない側に取り付けられた破幕部材と、
を備え、
前記所定の移動は、前記蓋体を前記ケース本体に対し所定の方向にスライドさせる移動であり、
前記保持部材は、前記幕状部材の面が前記所定の方向に直交する向きで前記幕状部材を保持することを特徴とする基板ケースを要旨とする。
（２）請求項２の発明は、
前記幕状部材は、ＩＣタグを備えていることを特徴とする請求項１に記載の基板ケースを要旨とする。
【００１０】
本発明の基板ケースでは、幕状部材が破れるとＩＣタグが破壊され、その機能が失われるため、幕状部材が破れたことを容易に発見することができる。
（３）請求項３の発明は、
前記保持部材は、前記破幕部材が横切る領域を切り欠き部とした形状を有することを特徴とする請求項１又は２に記載の基板ケースを要旨とする。
【００１１】
本発明の基板ケースでは、例えば、切り欠き部を跨ぐように、幕状部材を保持部材に貼付することができる。その場合、幕状部材は、切り欠き部以外の部分では、保持部材に貼付されているため、幕状部材を不正に剥がし難くすることができる。
【発明を実施するための最良の形態】
【００１４】
本発明の実施形態を図面に基づいて説明する。
１．第１の実施形態
（１）基板ケース１の構成
図１〜図８に基づいて基板ケース１の構成を説明する。図１は蓋体５がケース本体３に固定された状態における基板ケース１の構成を表す斜視図であり、図２はケース本体３と蓋体５とが分離した状態における基板ケース１の構成を表す斜視図であり、図３はスライド固定部７、９の構成を表す側面図であり、図４は蓋体５をＹ方向にずらした状態における基板ケース１の構成を表す斜視図であり、図５はボス対１１の側断面図であり、図６は保持部２９及び破幕部材３９と、その周辺の構成を表す斜視図であり、図７は保持部２９と破幕部材３９との位置関係を表す斜視図であり、図８は封印シール３３の構成を表す説明図である。
【００１５】
基板ケース１は、パチンコ機の制御基板（図示略）を収容し、封止するためのケースであり、図１に示すように、略直方体の形状を有する。基板ケース１は、制御基板を収容するケース本体３と、ケース本体３に蓋をする蓋体５とから構成される。
【００１６】
ケース本体３に対する蓋体５の固定は、ケース本体３に設けられたスライド固定部（結合／解除部材）７と、蓋体５に設けられたスライド固定部（結合／解除部材）９とを係合させることにより行う。
【００１７】
スライド固定部７は、図２及び図３（ａ）に示すように、ケース本体３におけるＷ方向側の側面と、Ｚ方向側の側面の上端付近に、外側に向けて立設された突起部である。スライド固定部７は、所定の間隔をおいて複数設けられ、それぞれが水平方向に沿って延びている。なお、図２では、説明の便宜のため、スライド固定部７、９以外の構成を一部省略している。
【００１８】
スライド固定部９は、図２及び図３（ａ）に示すように、蓋体５におけるＷ方向側の側面と、Ｚ方向側の側面の下端付近に、内側に向けて立設された突起部である。スライド固定部９は、高い位置にあるＡ部９ａと、Ａ部９ａよりも低い位置にあるＢ部９ｂとが、Ｘ−Ｙ方向に沿って、交互に並んだ形状を有する。Ａ部９ａと、そのＸ方向側に隣接するＢ９ｂとは、内側に向けて立設された突起部であるＣ部９ｃにより連結されている。Ａ部９ａ、Ｂ部９ｂのＸ−Ｙ方向における長さは、それぞれ、スライド固定部７の長さと同じである。また、Ａ部９ａの下端と、Ｂ部９ｂの上端との、上下方向における距離は、スライド固定部７の厚みよりもわずかに大きく設定されている。
【００１９】
ケース本体３に対し蓋体５を固定するには、まず、図３（ａ）に示すように、スライド固定部７の真上にＡ部９ａが位置する状態（図４に示すように、蓋体５が、ケース本体３から見て、Ｙ方向に少しずれている状態）にて、蓋体５をケース本体３に近づけて行く。すると、Ａ部９ａが、スライド固定部７に、上から当接する。このとき、Ｂ部９ｂの上端は、スライド固定部７の下端より、わずかに低くなっている。次に、蓋体５を、Ｘ方向にスライドさせ、図１に示すように、蓋体５とケース本体３のＸ−Ｙ方向における位置が揃うようにする。このとき、図３（ｂ）に示すように、Ｂ部９ｂが、スライド固定部７の下側に差し込まれる。この結果、蓋体５は上方向に移動できなくなり、蓋体５はケース本体３に対し固定される。なお、蓋体５をＸ方向にスライドさせるとき、Ｃ部９ｃがスライド固定部７に当接することにより、蓋体５のスライドが行き過ぎることはない。
【００２０】
ケース本体３と蓋体５との固定を解除するには、図３（ｂ）及び図１に示す状態から、蓋体５をＹ方向にスライドさせ、スライド固定部７とスライド固定部９とのＸ−Ｙ方向における位置関係を図３（ａ）のようにしておき、蓋体５を上方向に持ち上げればよい。
【００２１】
ケース本体３と蓋体５との封止は、２組のボス対１１により行われる。ボス対１１は、図１に示すように、蓋体５側に設けられた第１ボス１３と、ケース本体３側に設けられた第２ボス１５とから構成される。第１ボス１３は、第１連結部１７を介して蓋体５に取り付けられており、第２ボス１５は、第２連結部１９を介してケース本体３に取り付けられている。第１連結部１７及び第２連結部１９は、ともに、細い棒状の部材であり、切断容易である。
【００２２】
第１ボス１３は略円柱状の部材であり、図５に示すように、その軸方向に貫通する貫通穴２１が形成されている。また、貫通穴２１の上方には、貫通穴２１に差し込まれるワンウェイネジ２３の頭２３ａを隠すために座繰り２５が形成されている。第２ボス１５は略円柱状の部材であり、その軸方向に、ワンウェイネジ２３に対応した螺合穴２７が形成されている。
【００２３】
蓋体５をケース本体３に固定したとき、図５に示すように、第１ボス１３と第２ボス１５とは、貫通穴２１及び螺合穴２７が同軸上となるように並ぶ。この状態で、ワンウェイネジ２３を貫通穴２１に通し、螺合穴２７にねじ込むことで、第１ボス１３と第２ボス１５とが封止され、結果として、ケース本体３と蓋体５とが封止される。
【００２４】
なお、ボス対１１は、図１に示すように、２組あるので、ケース本体３と蓋体５とを最初に封止するときは、そのうち一組のみを使用すればよい。一旦封止した後、封止を解除するには、封止に用いたボス対１１を、第１連結部１７及び第２連結部１９の部分で、蓋体５及びケース本体３から切り離せばよい。その後、再度封止を行うには、もう一方のボス対１１を用いればよい。
【００２５】
ケース本体３は、その内部に、図６に示すように、保持部２９を備える。保持部２９は、下面が開放された、内部が中空である箱状の部材であり、その下面において、ケース本体３の底面３ａに取り付けられている。底面３ａは、保持部２９の下面に当たる部分を切り欠いて、挿入口３１としている。従って、ケース本体３の下側から、挿入口３１を通り、保持部２９の内部まで連通している。また、保持部２９には、そのＷ方向側の側面から、Ｚ方向に向かい、保持部２９の幅の略１／２の長さにわたって切り欠かれた凹部２９ａが形成されている。凹部２９ａにおいて、保持部２９の内外は連通している。
【００２６】
基板ケース１は、図６に示すように、封印シール３３を貼付可能な貼付部３５を備えている。貼付部３５は、挿入口３１を通り、保持部２９内に収納可能な大きさの板状部材である。貼付部３５は、保持部２９内に収納されたとき、Ｘ−Ｙ方向から見て、保持部２９の凹部２９ａと重複する部分が切り欠かれ、切り欠き部３５ａとなっている。封印シール３３は、貼付部３５のうち、切り欠き部３５ａを含む領域に貼付される。従って、封印シール３３を貼付した貼付部３５を保持部２９内に収容したとき、凹部２９ａには、封印シール３３のみが存在し、貼付部３５は存在しない。貼付部３５は、その両側面の上端付近に、外側に向けて突出した係合部３７、３７を備えている。貼付部３５を保持部２９内に収納したとき、係合部３７、３７は、保持部２９内に設けられた係合受け部（図示略）と係合し、貼付部３５の脱落を防止する。
【００２７】
蓋体５は、図６に示すように、その内部に、破幕部材３９を備えている。破幕部材３９は、蓋体５の天板５ａに、下向きに立設された棒状部材である支持部３９ａと、支持部３９ａの下端付近から、Ｚ方向に向かって水平に延びる横棒部３９ｂを備えている。
【００２８】
ケース本体３と蓋体５とを、図１及び図３（ｂ）に示すように固定した状態において、破幕部材３９は、図７（ａ）に示すように、保持部２９よりもＸ方向側に位置する。この状態から、蓋体５をＹ方向にスライドさせ、図３（ａ）及び図４に示す状態に移行するとき、横棒部３９ｂは凹部２９ａを通過し、図７（ｂ）に示すように、保持部２９よりもＹ方向側に移動する。
【００２９】
貼付部３５に貼付される封印シール３３は、図８（ａ）に示すように、略長方形の形状を有し、図８（ｂ）に示すように、接着剤で形成された粘着層４１、特殊紙から成る基材４３を積層した構造を有する。また、貼付前の状態では、粘着層４１に剥離紙４５が付されており、この剥離紙４５は、封印シール３３を貼付するときに除去される。基材４３の表面には、「封印」の文字がオフセット印刷されている（図６、図７参照）。
【００３０】
図８（ａ）に示すように、封印シール３３は、その１対角線の全体にわたって、インレット４７が組み込まれている。インレット４７の内部には、図示しないＩＣタグのミューチップ（超小型無線認識用ＩＣチップ）と外部アンテナが収容されている。インレット４７には、複数の切り込み４７ａが形成されている。そのため、横棒部３９ｂが当り、インレット４７に力が加わると、インレット４７は切り込み４７ａの部分で容易に切断される。インレット４７が切断されると、その中の外部アンテナも切断されてしまい、ＩＣタグは機能しなくなる。
【００３１】
図８（ａ）に示すように、粘着層４１及び基材４３にも、切り込み４９が形成されており、横棒部３９ｂが当り、インレット４７に力が加わると、封印シール３３は、この切り込み４９の部分で容易に破れる。また、図８（ａ）に示すように、封印シール３３の周囲は波形に加工されている。そのため、封印シール３３を剥がそうとして力が加わったとき、封印シール３３は、この波形における谷の部分で容易に破れる。以上のように、封印シール３３は、力を加えたとき容易に破れ、破れたときはＩＣタグの機能が失われる。
（２）基板ケース１の封止方法
次に、基板ケース１を封止する方法を、図１〜８に加え、図９を用いて説明する。図９は基板ケース１の構成を表す斜視図であり、（ａ）は貼付部３５を挿入する前の状態を表し、（ｂ）は貼付部３５を挿入した後の状態を表す。
【００３２】
まず、保持部２９から貼付部３５を取り外しておき（図６参照）、図４に示すように、蓋体５を、Ｙ方向にずらした状態でケース本体３に当接させ、次に、蓋体５をＸ方向にスライドさせ、図１に示す状態とする。こうすることにより、上述したように、スライド固定部７、９の係合により蓋体５がケース本体３に固定される（図３参照）。なお、上記のスライドのとき、横棒部３９ｂは、図７（ｂ）に示す、保持部２９よりもＹ方向側の位置から、凹部２９ａを通り、図７（ａ）に示す、保持部２９よりもＸ方向側の位置に移動するが、上述したように、保持部２９に貼付部３５は取り付けられていないので、横棒部３９ｂが封印シール３３を破ることはない。
【００３３】
上記のように、ケース本体３に蓋体５を固定したとき、図５に示すように、第１ボス１３と第２ボス１５とは、貫通穴２１及び螺合穴２７が同軸上となるように並ぶ。この状態で、ワンウェイネジ２３を貫通穴２１に通し、螺合穴２７にねじ込むことで、第１ボス１３と第２ボス１５とを封止する。
【００３４】
次に、図９（ａ）に示すように、封印シール３３を貼付した貼付部３５を、挿入口３１から、保持部２９内に挿入する。その結果、図９（ｂ）に示すように、貼付部３５が保持部２９内に保持され、凹部２９ａにおいて、貼付部３５に貼付された封印シール３３が露出する。なお、上述したように、貼付部３５の切り欠き部３５ａは、Ｘ−Ｙ方向から見て、保持部２９の凹部２９ａと重複するから、凹部２９ａには、封印シール３３のみが存在し、貼付部３５は存在しない。
（３）基板ケース１が奏する効果
(i)基板ケース１を開放するためには、ケース本体３と蓋体５とを、図１及び図３（ｂ）に示すように固定した状態から、蓋体５をＹ方向に向かってスライドさせ、図３（ａ）及び図４に示す状態に移行させ、スライド固定部７、９の係合を解除する必要がある。
【００３５】
上述したように、このスライドのとき、横棒部３９ｂは、図７（ａ）に示す位置から、凹部２９ａを通過し、図７（ｂ）に示す位置に移動し、その過程において、凹部２９ａに露出した封印シール３３を破る。封印シール３３が破られると、それに取り付けられたＩＣタグの機能が失われる。よって、基板ケース１を不正に開放する行為は、ＩＣタグの機能が失われることにより、容易に発見することができる。
(ii)封印シール３３は、基板ケース１の内部に収容されているので、意図しない接触により破れてしまうようなことがない。
(iii)封印シール３３は、切り欠き部３５ａ以外の部分では、貼付部３５に貼付されているため、封印シール３３を容易に剥がすことができない。
【００３６】
２．第２の実施形態
（１）基板ケース１の構成
本実施形態における基板ケース１の構成及びその封止方法は、基本的には前記第１の実施形態と同様であるが、一部において相違する。以下では、その相違点を中心に、図１０〜図１２に基づいて説明する。図１０は貼付部１３５、及び破幕部材５３、５５と、その周辺の構成を表す斜視図であり、図１１は貼付部１３５とその周辺の構成を表す説明図であり、図１２は貼付部１３５と破幕部材５３、５５との位置関係を表す説明図である。
【００３７】
本実施形態では、貼付部１３５は図１０に示すように、箱状の土台部１３５ａ、互いに平行な２枚の板状部材である第１壁１３５ｂ及び第２壁１３５ｃ、第１壁１３５ｂと第２壁１３５ｃとをそれらの中央で連結する連結壁１３５ｄ、土台部１３５ａの底面に取り付けられ、Ｗ−Ｚ方向を長手方向とする板状部材である孔埋片１３５ｅ、土台部１３５ａの底面付近からＸ方向、Ｙ方向にそれぞれ突出する、断面３角形の突起である係合部１３５ｆを備えている。第１壁１３５ｂには、Ｗ−Ｚ方向に沿って切り欠かれた凹部１３５ｇが形成されている。封印シール３３は、第１壁１３５ｂにおけるＸ方向側の面に、凹部１３５ｇを上下に跨ぐようにして貼付される。
【００３８】
ケース本体３の底面には、貼付部１３５を下側から挿入可能な挿入口３１が形成されるとともに、その両側に、係合受け部（保持部）５１が形成されている。係合受け部５１は、図１０に示すように、挿入口３１の端面よりもやや外側に位置し、その上部は、下部よりも、内側に張り出している。挿入口３１のＷ−Ｚ方向における長さは、土台部１３５ａの長さよりも長く、孔埋片１３５ｅの長さよりも短くなっている。
【００３９】
貼付部１３５は、図１１、図１２に示すように、挿入口３１からケース本体３の内部に挿入することができる。このとき、図１２（ａ）、（ｂ）に示すように、係合部１３５ｆを、係合受け部５１及びケース本体３の底面３ａで形成される断面コの字の溝に係合することで、貼付部１３５をケース本体３に対し固定することができる。
【００４０】
上述したように、挿入口３１のＷ−Ｚ方向における長さは、土台部１３５ａの長さよりも長いため、貼付部１３５を、図１１に示す位置から、Ｗ−Ｚ方向にスライドさせることが可能である。スライド可能な範囲は、土台部１３５ａが挿入口３１の端面に当接する位置を限度とする。孔埋片１３５ｅは、貼付部１３５が限度一杯までスライドしても、挿入口３１の全体を覆う長さを有する。
【００４１】
蓋体５は、図１０に示すように、その内部に、一対の破幕部材５３、５５を備えている。破幕部材５３は、蓋体５の天板５ａに、下向きに立設された棒状部材である支持部５３ａと、支持部５３ａの下端付近から、Ｚ方向に向かって延びる横棒部５３ｂとを備えている。また、破幕部材５５は、蓋体５の天板５ａに、下向きに立設された棒状部材である支持部５５ａと、支持部５５ａの下端付近から、Ｗ方向に向かって延びる横棒部５５ｂとを備えている。
【００４２】
蓋体５をケース本体３に固定したとき、破幕部材５３、５５は、図１２（ａ）に示すように、貼付部１３５よりもＸ方向側に位置する。この状態から、蓋体５を取り外すために、蓋体５をＹ方向にスライドさせると、破幕部材５３、５５の横棒部５３ｂ、５５ｂ
は凹部１３５ｇを通過し、図１２（ｂ）に示すように、第１壁１３５ｂよりもＹ方向側に移動する。なお、支持部５３ａは貼付部１３５よりもＷ方向側に位置し、支持部５５ａは貼付部１３５よりもＺ方向側に位置するので、蓋体５をＹ方向にスライドさせても、支持部５３ａ、５５ａが貼付部１３５に衝突することはない。
（２）基板ケース１の封止方法
次に、基板ケース１を封止する方法を図１３及び図１４を用いて説明する。まず、ケース本体３から貼付部１３５を取り外しておき（図１０参照）、図１３（ａ）に示すように、蓋体５を、Ｙ方向にずらした状態でケース本体３に当接させ、次に、蓋体５をＸ方向にスライドさせ、図１３（ｂ）に示す状態とする。こうすることにより、スライド固定部７、９の係合により蓋体５がケース本体３に固定される（図３参照）。そして、前記第１の実施形態と同様に、第１ボス１３と第２ボス１５とをワンウェイネジ２３で封止する。
【００４３】
次に、図１４（ａ）に示すように、封印シール３３を貼付した貼付部１３５を、挿入口３１から、ケース本体３内に挿入する。その結果、図１４（ｂ）に示すように、貼付部１３５がケース本体３内に保持される。このとき、破幕部材５３、５５、貼付部１３５、及び封印シール３３の位置関係は、図１２（ａ）に示すものとなる。
（３）基板ケース１が奏する効果
(i)基板ケース１を開放するためには、ケース本体３と蓋体５とを、図１４（ｂ）に示すように固定した状態から、蓋体５をＹ方向にスライドさせ、図１３（ａ）に示す状態に移行させ、スライド固定部７、９の係合を解除する必要がある。
【００４４】
上述したように、このスライドのとき、横棒部５３ｂ、５５ｂは、図１２（ａ）に示す位置から、凹部１３５ｇを通過し、図１２（ｂ）に示す位置に移動し、その過程において、凹部１３５ｇに露出した封印シール３３を破る。封印シール３３が破られると、それに取り付けられたＩＣタグの機能が失われる。よって、基板ケース１を不正に開放する行為は、ＩＣタグの機能が失われることにより、容易に発見することができる。
(ii)封印シール３３は、基板ケース１の内部に収容されているので、意図しない接触により破れてしまうようなことがない。
(iii)封印シール３３は、切り欠き部１３５ｇ以外の部分では、貼付部３５に貼付されているため、封印シール３３を容易に剥がすことができない。
(iv) 貼付部１３５は、上述したように、Ｗ−Ｚ方向に沿ってスライド移動することができる。そのため、基板ケース１内を目視点検するとき、貼付部１３５が邪魔になることがなく、目視点検が容易になる。
（ｖ）貼付部１３５がスライド移動しても、常に、孔埋片１３５ｅは挿入口３１を覆い、隙間が生じないので、隙間から不正を行うことを防止できる。
【００４５】
尚、本発明は前記実施の形態になんら限定されるものではなく、本発明を逸脱しない範囲において種々の態様で実施しうることはいうまでもない。
例えば、ケース本体３と蓋体５とを、前記実施の形態とは逆にしてもよい。すなわち、保持部２９、貼付部１３５を蓋体５側に取り付け、破幕部材３９、５３、５５をケース本体３側に取り付けてもよい。
【００４６】
また、第１の実施形態における貼付部３５及び保持部２９、第２の実施形態における貼付部１３５は、透明な材料（例えば透明樹脂等）から成る透明な部材とすることができる。こうすることにより、封印シール３３を視認し易くなる。
【００４７】
また、蓋体５をケース本体３に取り付ける方法は、ケース本体３に対し、蓋体５を回動可能に取り付ける方法であってもよい。例えば、蓋体５のうち、第１ボス１３が設けられた側面とは反対側の側面（図１における右奥側の側面）に回動軸を設けるとともに、ケース本体３のうち、第２ボス１５が設けられた側面とは反対側の側面（図１における右奥側の側面）に、上述した回動軸を回動可能に軸支する軸受けを設け、蓋体５が回動軸を回動中心として、ケース本体３を閉じる位置と、ケース本体３を開放する位置との間を回動可能とすることができる。この場合、蓋体５がケース本体３を閉じる位置にあるときは蓋体５とケース本体３とを結合し、蓋体５がケース本体３を開放するように回動したときは、その結合を解除する、周知の結合／解除部材を設けることができる。また、貼付部３５、１３５、保持部２９、破幕部材５３、５５は、蓋体５が、ケース本体３を閉じる位置から、ケース本体３を開放する位置に回動するとき、破幕部材５３、５５が封印シール３３を破るように配置することができる。
【図面の簡単な説明】
【００４８】
【図１】蓋体５がケース本体３に固定された状態における基板ケース１の構成を表す斜視図である。
【図２】ケース本体３と蓋体５とが分離した状態における基板ケース１の構成を表す斜視図である。
【図３】スライド固定部７、９の構成を表す側面図であり、（ａ）はケース本体３と蓋体５とが分離した状態を表し、（ｂ）はケース本体３に蓋体５が固定された状態を表す。
【図４】蓋体５をＹ方向にずらした状態における基板ケース１の構成を表す斜視図である。
【図５】ボス対１１の側断面図である。
【図６】保持部２９及び破幕部材３９と、その周辺の構成を表す斜視図である。
【図７】保持部２９と破幕部材３９との位置関係を表す斜視図であり、（ａ）は蓋体５をケース本体３に固定した状態を表し、（ｂ）は蓋体５をＹ方向にずらした状態を表す。
【図８】封印シール３３の構成を表す説明図であって、（ａ）は平面図、（ｂ）は断面図である。
【図９】基板ケース１の構成を表す斜視図であり、（ａ）は貼付部３５を挿入する前の状態を表し、（ｂ）は貼付部３５を挿入した後の状態を表す。
【図１０】貼付部１３５及び破幕部材５３、５５と、その周辺の構成を表す斜視図である。
【図１１】貼付部１３５とその周辺の構成を表す説明図である。
【図１２】貼付部１３５と破幕部材５３、５５との位置関係を表す説明図であり、（ａ）は蓋体５をケース本体３に固定した状態を表し、（ｂ）は蓋体５をＹ方向にずらした状態を表す。
【図１３】基板ケース１の構成を表す斜視図であり、（ａ）は蓋体５をＹ方向にずらした状態を表し、（ｂ）は蓋体５をケース本体３に固定した状態を表す。
【図１４】基板ケース１の構成を表す斜視図であり、（ａ）は貼付部１３５を挿入する前の状態を表し、（ｂ）は貼付部１３５を挿入した後の状態を表す。
【符号の説明】
【００４９】
１・・・基板ケース、３・・・ケース本体、３ａ・・・底面、５・・・蓋体、
５ａ・・・天板、７、９・・・スライド固定部、１１・・・ボス対、
１３・・・第１ボス、１５・・・第２ボス、１７・・・第１連結部、
１９・・・第２連結部、２１・・・貫通穴、２３・・・ワンウェイネジ、
２３ａ・・・頭、２５・・・座繰り、２７・・・螺合穴、２９・・・保持部、
２９ａ・・・凹部、３１・・・挿入口、３３・・・封印シール、３５・・・貼付部、
３５ａ・・・切り欠き部、３７・・・係合部、３９・・・破幕部材、
３９ａ・・・支持部、３９ｂ・・・横棒部、４１・・・粘着層、４３・・・基材、
４５・・・剥離紙、４７・・・インレット、４７ａ・・・切り込み、
４９・・・切り込み、５１・・・係合受け部、５３・・・破幕部材、
５３ａ・・・支持部、５３ｂ・・・横棒部、５５・・・破幕部材、５５ａ・・・支持部、
５５ｂ・・・横棒部、１３５・・・貼付部、１３５ａ・・・土台部、
１３５ｂ・・・第１壁、１３５ｃ・・・第２壁、１３５ｄ・・・連結壁、
１３５ｅ・・・孔埋片、１３５ｆ・・・係合部、１３５ｇ・・・凹部
【図１】
0005228611.tif 000002
【図２】
0005228611.tif 000003
【図３】
0005228611.tif 000004
【図４】
0005228611.tif 000005
【図５】
0005228611.tif 000006
【図６】
0005228611.tif 000007
【図７】
0005228611.tif 000008
【図９】
0005228611.tif 000009
【図１０】
0005228611.tif 000010
【図１１】
0005228611.tif 000011
【図１２】
0005228611.tif 000012
【図１３】
0005228611.tif 000013
【図１４】
0005228611.tif 000014
【図８】
0005228611.tif 000015